(57)【要約】【課題】  通常モードと夜間モードとの自動切換機能を備えたボタン電話装置において、切換時刻になったとき、ボタン電話機の付近に人がいるかいないかに応じて自動的にモード切換を行う。【解決手段】  ボタン電話装置は、主装置と、その内線に収容された複数のボタン電話機とからなる。ボタン電話機は人感センサを備えている。夜間モードへの切換時刻になったとき（ステップＳ１でYES）、人感センサを起動すると共に、タイマをスタートさせ（ステップＳ２）、人感センサが反応しない状態が続いてタイムアップしたら（ステップＳ３でNO、Ｓ４でYES）、夜間モードへ切換える（ステップＳ５）。夜間モードの解除時刻になり（ステップＳ６でYES）、人感センサに反応があったとき（ステップＳ７でYES）、夜間モードを解除して通常モードへ切換える。【選択図】  図２
2007089033.tif 000002
【特許請求の範囲】
【請求項１】
主装置と、該主装置に収容された複数のボタン電話機とを備えたボタン電話装置において、
通常モードから夜間モードへの切換時刻に到達したことを検知する夜間モード切換時刻検知手段と、前記夜間モード切換時刻検知手段の検知出力発生時点以後、前記ボタン電話機付近の人を検知する人感センサが検知信号を発生していないとき、前記通常モードから夜間モードへ切換えるモード切換手段とを備えたことを特徴とするボタン電話装置。
【請求項２】
請求項１記載のボタン電話装置において、
前記夜間モード切換時刻検知手段の検知出力の発生時点以後、前記人感センサが検知信号を発生していない継続時間をカウントするタイマを備え、前記モード切換手段は該タイマのカウント値が所定時間に達したとき、前記通常モードから夜間モードへ切換えることを特徴とするボタン電話装置。
【請求項３】
主装置と、該主装置に収容された複数のボタン電話機とを備えたボタン電話装置において、
夜間モードから通常モードへの切換時刻に到達したことを検知する通常モード切換時刻検知手段と、前記通常モード切換時刻検知手段の検知出力発生時点以後、前記ボタン電話機付近の人を検知する人感センサが検知信号を発生したとき、前記夜間モードから通常モードへ切換えるモード切換手段とを備えたことを特徴とするボタン電話装置。
【発明の詳細な説明】
【技術分野】
【０００１】
本発明は、通常モードと夜間モードとの自動切換機能を備えたボタン電話装置に関し、詳細には、モード切換時刻になったときに人がいるかいないかに応じて自動的にモード切換が行えるボタン電話装置に関する。
【背景技術】
【０００２】
従来、通常モード（昼間モード）と夜間モードとの自動切換機能を備えたボタン電話装置としては、年間の休日を格納する休日テーブルと、平日用の昼夜自動切換時刻と休日用の昼夜自動切換時刻とを格納した昼夜切換時刻記憶部と備え、午前０時に前記テーブルを参照して平日か休日かを判断し、その判断結果に基づいて昼夜切換時刻記憶部から平日用又は休日用の昼夜自動切換時刻を読み出し、読み出された昼夜自動切換時刻になった時に夜間モードと昼間モードとの切換を行うことにより、日付単位で通常モードと夜間モードとの自動切換が行えるようにしたボタン電話装置がある（特許文献１参照）。
【０００３】
ところが、上記ボタン電話装置では、休日であれば、その主装置の内線に収容されたボタン電話機の付近に人がいても、夜間モードに設定されてしまうという問題がある。そこで、夜間モードから通常モードへの切換時刻になったとき、主装置に接続された音声蓄積装置からその主装置の内線に収容されたボタン電話機に発呼し、応答があったときに、通常モードへの切換を促す音声ガイダンスメッセージを送信し、そのメッセージを聞いた人が切換操作を行った場合に、通常モードに切換えるようにしたボタン電話装置が提案されている（特許文献２参照）。
【特許文献１】特開平５−２１９５４９号公報
【特許文献２】特開平７−９５６４０号公報
【発明の開示】
【発明が解決しようとする課題】
【０００４】
しかしながら、特許文献２に記載のボタン電話装置では、通常モードから夜間モードへの切換時刻になったときは、ボタン電話機の付近に人がいてもいなくても自動的に夜間モードに設定されてしまうという問題がある。また、夜間モードから通常モードへの切換時刻になったときについては、音声蓄積装置からの呼出に応答し、切換操作を行う必要がある。
【０００５】
本発明は、このような問題点を解決するためになされたものであり、その第１の目的は、通常モードと夜間モードとの自動切換機能を備えたボタン電話装置において、通常モードから夜間モードへの切換時刻になったとき、ボタン電話機の付近に人がいない場合に自動的に夜間モードへ切換えることであり、第２の目的は、夜間モードから通常モードへの切換時刻になったとき、ボタン電話機の付近に人がいる場合に自動的に通常モードに切換えることである。
【課題を解決するための手段】
【０００６】
請求項１に係る発明は、主装置と、該主装置に収容された複数のボタン電話機とを備えたボタン電話装置において、通常モードから夜間モードへの切換時刻に到達したことを検知する夜間モード切換時刻検知手段と、前記夜間モード切換時刻検知手段の検知出力発生時点以後、前記ボタン電話機付近の人を検知する人感センサが検知信号を発生していないとき、前記通常モードから夜間モードへ切換えるモード切換手段とを備えたことを特徴とするボタン電話装置である。
請求項２に係る発明は、請求項１記載のボタン電話装置において、前記夜間モード切換時刻検知手段の検知出力の発生時点以後、前記人感センサが検知信号を発生していない継続時間をカウントするタイマを備え、前記モード切換手段は該タイマのカウント値が所定時間に達したとき、前記通常モードから夜間モードへ切換えることを特徴とするボタン電話装置である。
請求項３に係る発明は、主装置と、該主装置に収容された複数のボタン電話機とを備えたボタン電話装置において、夜間モードから通常モードへの切換時刻に到達したことを検知する通常モード切換時刻検知手段と、前記通常モード切換時刻検知手段の検知出力発生時点以後、前記ボタン電話機付近の人を検知する人感センサが検知信号を発生したとき、前記夜間モードから通常モードへ切換えるモード切換手段とを備えたことを特徴とするボタン電話装置である。
【０００７】
（作用）
請求項１に係る発明によれば、通常モードから夜間モードへの切換時刻以後、ボタン電話機付近の人を検知する人感センサが検知信号を発生していないときに、通常モードから夜間モードへ切換わる。
請求項２に係る発明によれば、通常モードから夜間モードへの切換時刻以後、ボタン電話機付近の人を検知する人感センサが検知信号を所定時間継続して発生していないときに、通常モードから夜間モードへ切換わる。
請求項３に係る発明によれば、夜間モードから通常モードへの切換時刻以後、ボタン電話機付近の人を検知する人感センサが検知信号を発生したときに、夜間モードから通常モードへ切換わる。
【発明の効果】
【０００８】
本発明によれば、通常モードと夜間モードとの自動切換機能を備えたボタン電話装置において、通常モードから夜間モードへの切換時刻になったとき、ボタン電話機の付近に人がいない場合に自動的に夜間モードに設定し、夜間モードから通常モードへの切換え時刻になったとき、ボタン電話機の付近に人がいる場合に自動的に通常モードに設定することができる。
【発明を実施するための最良の形態】
【０００９】
以下、本発明の実施形態について図面を参照して説明する。
図１に示すように、本発明の実施形態に係る通常モードと夜間モードとの自動切換機能を備えボタン電話装置は、主装置１及びそれに収容されたＮ台（Ｎ≧２）のボタン電話機2-1〜2-Nからなる。主装置１は、１本以上の電話回線４に接続されており、内線伝送路３によりボタン電話機2-1〜2-Nに接続されている。ボタン電話機2-1〜2-Nは例えばオフィスの机の上に配置されている。
【００１０】
主装置１は、電話回線４及びボタン電話機2-1〜2-Nの状態を管理し、この主装置全体の制御等を行う制御部11と、電話回線４を終端制御する外線インタフェース部12と、内線伝送路３を介してボタン電話機2-1〜2-Nを収容する内線インタフェース部13と、外線インタフェース部12と内線インタフェース部13とを交換接続する交換処理部14と、時計15と、制御部11での制御に必要な各種制御情報、外線情報、内線情報等を関連付けて記憶する記憶部16とを備えている。ここでは、便宜上、このボタン電話装置を通常モードから夜間モードへ切換える夜間モード設定時刻と、夜間モードから通常モードへ切換える夜間モード解除時刻とが記憶された夜間モード設定／解除時刻記憶部16ａを図示した。
【００１１】
ボタン電話機2-1は、このボタン電話機全体の制御等を行う制御部21と、それぞれが制御部21に接続された内線インタフェース部22、音声処理部23、ＬＣＤ表示部24、ＬＥＤ発光部25、操作部26、及び人感センサ27を備えている。内線インタフェース部22は、内線伝送路３を介して主装置１と通信を行い、音声処理部23は、音声信号アンプ、スピーカ、及び受話器等を備えており、呼出音や各種報知音の出力等を行う。ＬＣＤ表示部24は制御部21から送られてくる各種情報や後述する操作部26から入力される情報等を表示する。ＬＥＤ発光部25は後述する操作部26を構成する各種キーの照明や状態表示等を行うための光源である。操作部26は、ダイヤルキー、外線キー、フックスイッチ等の各種キーを備え、ユーザがこれらのキーを用いて入力した情報を制御部21へ送る。人感センサ27はボタン電話機2-1の筐体の適当な部位に実装された焦電センサ（赤外線センサ）からなり、人体の発生する熱を検出することで、ボタン電話機2-1の近くにいる人を検知する。他の（Ｎ−１）台のボタン電話機の構成もボタン電話機2-1の構成と同様であるが、（Ｎ−１）台の少なくとも一部については人感センサ27を有しない構成にしてもよい。
【００１２】
以上の構成を有するボタン電話装置において、通常モードから夜間モードへ切換えるときの動作、及び夜間モードから通常モードへ切換えるときの動作について、図２のフローチャート並びに図３及び図４のタイミングチャートを参照しながら説明する。ここでは、主装置１とボタン電話機2-1との関連動作について説明するが、他のボタン電話機についても動作は同じである。
【００１３】
図２に示す処理のスタート時はこのボタン電話装置は通常モードに設定されている。制御部11は時計15の時刻情報と夜間モード設定／解除時刻記憶部16ａに記憶されている夜間モード設定時刻とを比較し、夜間モード設定時刻になったと判断すると（ステップＳ１でYES）、図示されていないタイマをスタートさせると共に、内線インタフェース部13からボタン電話機2-1に対し、人感センサ27の起動を指令する。ボタン電話機2-1の制御部21は人感センサ27の起動指令を内線インタフェース部22から受け取り、人感センサ27を起動する（ステップＳ２）。
【００１４】
ボタン電話機2-1の制御部21は、人感センサ27の出力を監視しており、人感センサ27が検知信号を出力しているとき、即ちボタン電話機2-1の付近に人がいるときには、内線伝送路３を通して、主装置１の制御部11へ人感センサ27に反応（検知信号）があることを通知する。主装置１の制御部11は、ボタン電話機2-1からの通知に基づいて人感センサ27の反応の有無を判断する（ステップＳ３）。
【００１５】
そして、反応がある場合は、ステップＳ２に戻り、再度、人感センサ27の起動の指令及びタイマのスタートを行う。人感センサ27に反応がない場合は、タイマがタイムアップしたか否かを判断し（ステップＳ４）、タイムアップしていなければステップＳ３に戻り、タイムアップしていれば夜間モード設定処理を実行する（ステップＳ５）。夜間モードに設定されたときの動作としては、着信者に対する業務終了メッセージの自動応答、発着信可能なボタン電話機の限定、省電力モード等がある。なお、タイムアップした時点で報知（音声処理部23から鳴動音発生、ＬＥＤ発光部25の点滅）を行うように構成してもよい。
【００１６】
以上説明したステップＳ２〜Ｓ５のタイミングチャートを図３に示す。この図において、人感センサの縦軸の”Ｌ”、”Ｈ”は、それぞれ人感センサの反応の”無し”、”有り”を示している。
【００１７】
この図のＡは、夜間モード設定時刻ｔ０にて人感センサ27及びタイマがスタートし、人感センサ27に反応がないまま所定時間Ｔが経過してタイムアップし、夜間モードに設定された場合を示している。
【００１８】
また、この図のＢは、夜間モード設定時刻ｔ０にて人感センサ27及びタイマがスタートするものの、人感センサ27が反応することでタイムアップする前にタイマがクリアされ、人感センサ27に反応がなくなった時刻ｔ１、ｔ２、ｔ３、ｔ４にタイマを再スタートすることを繰り返し、ボタン電話機2-1が配置されている場所（オフィス等）から人が帰宅した時刻ｔ４から所定時間Ｔが経過してタイムアップした時に夜間モードに設定された場合を示している。
【００１９】
ここで、所定時間Ｔはユーザによりボタン電話機2-1の操作部26を用いて設定され、記憶部16に記憶されている。このようにタイマを用いることで、ボタン電話機2-1の付近に一時的に人がいなくなった場合に夜間モードに設定されることを防止する。
【００２０】
次に、夜間モードを解除して通常モードへ切換えるときの動作を説明する。制御部11は時計15の時刻情報と夜間モード設定／解除時刻記憶部16ａに記憶されている夜間モード解除時刻とを比較し、夜間モード解除時刻になったと判断すると（ステップＳ６でYES）、ステップＳ３と同様にして人感センサ27の反応の有無を判断する（ステップＳ７）。そして、反応があった場合は夜間モード解除処理を実行し（ステップＳ８）、通常モードに戻る。
【００２１】
ステップＳ６〜Ｓ８のタイミングチャートを図４に示す。夜間モード解除時刻ｔ７が到来し、その後時刻ｔ８にて人感センサが反応することにより、夜間モードが解除されている。
【００２２】
このように、本実施形態に係るボタン電話装置によれば、夜間モード設定時刻になったときに、人感センサ27の反応がない状態が所定時間続いた場合に自動的に夜間モードに切換えることができる。また、夜間モード解除時刻になったときは、人感センサ27の反応があったときに自動的に夜間モードを解除し、通常モードに切換えることができる。
【００２３】
なお、人感センサ27をボタン電話機に設ける代わりに、ボタン電話機が設置されている部屋の天井等に設け、その検知信号を主装置１に入力するように構成してもよい。
また、夜間モード設定時刻になったときに、ボタン電話機2-1の音声処理部23から報知音やメッセージを出力すると共に、ＬＥＤ発光部25を発光させるように構成してもよい。これにより、ボタン電話機2-1の付近にいる人が静止している場合に検知できないタイプの人感センサの場合に、人に動くことを促し、誤って人がいないと判断しないようにすることができる。
さらに、タイマのカウント開始からタイムアップに至る前に着信に対する応答が所定時間（タイムアップの所定時間Ｔより短い）なかった場合に夜間モードに設定してもよい。
【００２４】
また、夜間モード設定キーを設け、そのキーを押すことで、夜間モード設定時刻になる前若しくはなった後でタイマがタイムアップする前に強制的に夜間モードに設定できるようにしてもよい。さらに、通常モード設定キーを設け、そのキーを押すことで、夜間モード解除時刻になる前に強制的に通常モードに設定できるようにしてもよい。
また、通常モード継続キーを設け、夜間モード設定時刻以後、残業等で社員が在勤しているときに一時的に席を空けたためタイマがタイムアップし、夜間モードへ移行することの報知（鳴動、ＬＥＤ点滅）がなされたときに、このキーを押すことで、夜間モードへ移行しないようにすると共に、人感センサ２７の起動及びタイマのスタートを行うようにしてもよい。
さらに、夜間モード継続キーを設け、夜間モード解除時刻よりも前に出社した社員が、このキーを押すことで、夜間モード設定時刻以後に人感センサ27に反応があっても夜間モードを継続させるようにしてもよい。
【図面の簡単な説明】
【００２５】
【図１】本発明の実施形態に係る通常モードと夜間モードとの自動切換機能を備えボタン電話装置の構成を示す図である。
【図２】本発明の実施形態に係るボタン電話装置の通常モードから夜間モードへの切換動作、及び夜間モードから通常モードへの自動切換動作を示すフローチャートである。
【図３】本発明の実施形態に係るボタン電話装置の通常モードから夜間モードへの自動切換動作のタイミングチャートである。
【図４】本発明の実施形態に係るボタン電話装置の夜間モードから通常モードへの自動切換動作のタイミングチャートである。
【符号の説明】
【００２６】
１・・・主装置、2-1〜2-N・・・ボタン電話機、11・・・制御部、15・・・時計、16ａ・・・夜間モード設定／解除時刻記憶部、27・・・人感センサ。
【図１】
2007089033.tif 000003
【図２】
2007089033.tif 000004
【図３】
2007089033.tif 000005
【図４】
2007089033.tif 000006